【手続補正書】
【提出日】平成17年1月12日(2005.1.12)
【手続補正１】
【補正対象書類名】明細書
【補正対象項目名】特許請求の範囲
【補正方法】変更
【補正の内容】
【特許請求の範囲】
【請求項１】
マーク生成レーザー装置（10）によって、画素の各々がＮ個の可能なグレーレベルを表わしうるグレーレベル画素画像を、ｎ個の見かけ上の白でない画素グレー値（Ｎ＞ｎ）を有するハーフトーン画像に変換することを可能とする方法であって、前記ハーフトーン画像のそれぞれの画素がレーザーによってｎ−１個の白でないグレーレベルの１つにレンダリング可能なものにおいて、前記方法が、
ａ）前記グレーレベル画素画像（40）のグレー画素値の画像の色中心面（41、42、43）上に偶数タイル位置及び奇数タイル位置を含むディザマトリクス（30）を順次論理的にタイリングするステップと、
ｂ）それぞれの奇数タイル位置において、各々の画像画素とこれに論理的に重ねられたディザマトリクス値との関係値に基づいて、それぞれの関係値について、それがｎ−１個のしきい値のどれを越えるかを判定し、関係値が１つの中間的なしきい値のみを越える場合、その関係値の判定の対象となった画素に第１のレーザー変調コードを割り当てるステップと、
ｃ）それぞれの偶数タイル位置において、各々の画像画素とこれに論理的に重ねられたディザマトリクス値との関係値に基づいて、それぞれの関係値について、それがｎ−１個のしきい値のどれを越えるかを判定し、関係値が前記１つの中間的なしきい値のみを越える場合、その関係値の判定の対象となった画素に第２のレーザー変調コードを割り当てるステップと、
ｄ）順次タイリングされた３つのディザマトリクス位置に対応して配置された少なくとも第１、第２及び第３の画素に割り当てられたレーザー変調コードを検討し、前記第２の画素に割り当てられたレーザー変調値を前記第１及び第３の画素に割り当てられたレーザー変調コードに応じて調整するステップと、及び
ｅ）レーザー変調値を適用してレーザー印刷エンジン（14）を制御するステップとからなることを特徴とする、方法。
【請求項２】
ステップｄ）において、前記第２の画素に割り当てられたレーザー変調値を調整して、滑らかなハーフトーン表現を生成することを特徴とする、請求項１の方法。
【請求項３】
（i）ｎ＝４であり、（ii）レーザー変調コードが00、01、10及び11であり、（iii）ステップｅ）において、それぞれの画素についてレーザー印刷エンジン（14）をｔ／Ｔという間隔の１つでターンオンするように時間変調し（ｔは０からＴの範囲で変化し、Ｔは画素の全印刷時間についての全オン値である）、（iv）初期レーザー変調値が以下
【表１−１】
1998229496.tif 000001
のように対応することを特徴とする、請求項２の方法。
【請求項４】
第２の画素のレーザー変調コードが10又は01である場合に、第２の画素に対してｔ１／Ｔ又はｔ２／Ｔである初期レーザー変調値が割り当てられ、ステップｄ）において第２の画素の初期レーザー変調値が下の表
【表２−１】
1998229496.tif 000002
にしたがってｔ１／Ｔからｔ２／Ｔまでの間の値に調整されることを特徴とする、請求項３の方法。
【請求項５】
画素の各々がＮ個の可能なグレーレベルを表わしうるグレーレベル画素画像を、ｎ個の見かけ上の白でない画素グレー値（Ｎ＞ｎ）を有するハーフトーン画像に変換するためのレーザー装置（10）であって、前記ハーフトーン画像（40）のそれぞれの画素がｎ−１個の白でないグレーレベルの１つにレンダリング可能なものにおいて、前記レーザー装置（10）が、
ａ）前記グレーレベル画素画像（26）のグレー画素値の画像の色中心面（41、42、43）上に偶数タイル位置及び奇数タイル位置を含むディザマトリクス（30）を順次論理的にタイリングする手段（12、18、24）と、
ｂ）それぞれの奇数タイル位置において動作し、各々の画像画素とこれに論理的に重ねられたディザマトリクス値との関係値に基づいて、それがｎ−１個のしきい値のどれを越えるかを判定し、関係値が１つの中間的なしきい値のみを越える場合、その関係値の計算の対象となった画素に第１のレーザー変調コードを割り当てる手段（12、18、22）と、
ｃ）それぞれの偶数タイル位置において動作し、各々の画像画素とこれに論理的に重ねられたディザマトリクス値との関係値に基づいて、それがｎ−１個のしきい値のどれを越えるかを判定し、関係値が前記１つの中間的なしきい値のみを越える場合、その関係値の計算の対象となった画素に第２のレーザー変調コードを割り当てる手段（12、18、22）と、
ｄ）順次タイリングされた３つのディザマトリクス位置に対応して配置された少なくとも第１、第２及び第３の画素に割り当てられたレーザー変調コードを検討し、前記第２の画素に割り当てられたレーザー変調値を前記第１及び第３の画素に割り当てられたレーザー変調コードに応じて調整する手段（52、62、64、66）と、及び
ｅ）レーザー変調値を適用してレーザー印刷エンジン（14）を制御する手段と（12、16、18）からなることを特徴とする、レーザー装置（10）。
【請求項６】
前記手段ｄ）（52、62、64、66）が、前記第２の画素に割り当てられたレーザー変調値を調整して滑らかなハーフトーン表現を生成することを特徴とする、請求項５のレーザー装置（10）。
【請求項７】
（i）ｎ＝４であり、（ii）レーザー変調コードが00、01、10及び11であり、（iii）手段ｅ）（12、16、18）において、それぞれの画素についてレーザー印刷エンジン（14）をｔ／Ｔという間隔の１つでターンオンするように時間変調し（ｔは０からＴの範囲で変化し、Ｔは画素の全印刷時間についての全オン値である）、（iv）初期レーザー変調値が以下
【表３−１】
1998229496.tif 000003
のように対応することを特徴とする、請求項６のレーザー装置（10）。
【請求項８】
第２の画素のレーザー変調コードが10又は01である場合に、第２の画素に対してｔ１／Ｔ又はｔ２／Ｔである初期レーザー変調値が割り当てられ、手段ｄ）（52、62、64、66）において第２の画素の初期レーザー変調値が下の表
【表４−１】
1998229496.tif 000004
にしたがってｔ１／Ｔからｔ２／Ｔまでの間の値に調整されることを特徴とする、請求項７のレーザー装置（10）。
【請求項９】
マーク生成レーザー装置（10）によって、画素の各々がＮ個の可能なグレーレベルを表わしうるグレーレベル画素画像（26）を、ｎ個の見かけ上の白でない画素グレー値（Ｎ＞ｎ）を有するハーフトーン画像（28）に変換することを可能とする方法であって、前記ハーフトーン画像のそれぞれの画素がレーザーによってｎ−１個の白でないグレーレベルの１つにレンダリング可能なものにおいて、前記方法が、
ａ）前記グレーレベル画素画像（26）のグレー画素値の画像の色中心面（41、42、43）上に偶数画素群位置及び奇数画素群位置を含むようにディザマトリクス（30）を順次論理的にタイリングするステップと、
ｂ）それぞれの奇数画素群位置において、その各々の画素についてｎ−１個のしきい値の１つに対し２つの関係のうちの１つを決定し、前記２つの関係のうちの第１の関係を示す画素の各々に対して第１の初期レーザー変調コードを割り当てるステップと、
ｃ）それぞれの偶数画素群位置において、その各々の画素についてｎ−１個のしきい値の１つに対し２つの関係のうちの１つを決定し、前記２つの関係のうちの第２の関係を示す画素の各々に対して第２の初期レーザー変調コードを割り当てるステップと、
ｄ）３つの順次の画素群に対応して配置された、少なくとも第１、第２及び第３の画素に割り当てられたレーザー変調コードを検討し、前記第２の画素に割り当てられたレーザー変調値を前記第１及び第３の画素に割り当てられたレーザー変調コードに応じて調整するステップと、及び
ｅ）前記レーザー変調値を適用してレーザー印刷エンジン（14）を制御するステップとからなることを特徴とする、方法。
【請求項１０】
ステップｄ）において、前記第２の画素に割り当てられたレーザー変調値を調整して、滑らかなハーフトーン表現を生成することを特徴とする、請求項９の方法。
【請求項１１】
（i）ｎ＝４であり、（ii）レーザー変調コードが00、01、10及び11であり、（iii）ステップｅ）において、それぞれの画素についてレーザー印刷エンジン（14）をｔ／Ｔという間隔の１つでターンオンするように時間変調し（ｔは０からＴの範囲で変化し、Ｔは画素の全印刷時間についての全オン値である）、（iv）初期レーザー変調値が以下
【表５−１】
1998229496.tif 000005
のように対応することを特徴とする、請求項１０の方法。
【請求項１２】
第２の画素のレーザー変調コードが10又は01である場合に、第２の画素に対してｔ１／Ｔ又はｔ２／Ｔである初期レーザー変調値が割り当てられ、ステップｄ）において第２の画素の初期レーザー変調値が下の表
【表６−１】
1998229496.tif 000006
にしたがってｔ１／Ｔからｔ２／Ｔまでの間の値に調整されることを特徴とする、請求項１１の方法。